(57)【要約】【課題】専用の解析ツールやハードウェアが不要で、装置動作時の連続データの表示操作性に優れ、装置動作前後の応動を迅速・容易かつ正確に把握可能な、保守性に優れたディジタル型保護制御装置とそのデータ表示方法を提供する。【解決手段】データ保存手段２０１は、外部出力指令を行う場合に現時点で取込んでいる電気量データの連続する瞬時値データを所定のサンプリング周期で保存する。データ選択手段２０３は、ＨＩ１０１により入力された人間系からの特定の装置動作のデータ表示要求に応じて、データ保存手段２０１により保存された電気量データの中から、当該特定の装置動作の基準となる装置動作時刻の前後に連続する瞬時値データを予め設定された選択範囲条件に基づいて選択する。表示制御手段２０２は、選択された連続する瞬時値データをグラフィック形式の連続データに変換してＨＩ１０１にグラフィック表示させる。【選択図】図１
2008099442.tif 000002
【特許請求の範囲】
【請求項１】
電力系統からアナログ信号の電気量データを取込みディジタル変換するアナログ／ディジタル変換手段と、
ディジタル変換された電気量データを用いて系統保護演算を行う系統保護演算手段と、
系統保護演算の演算結果に応じて該当する外部機器に制御指令を与える外部出力指令を行う外部出力指令手段と、
外部出力指令を行う場合に現時点で取込んでいる電気量データの連続する瞬時値データを予め設定されたサンプリング周期で保存するデータ保存手段と、
表示要求に基づき運用保守を行うための情報を表示するインタフェース手段と、
前記インタフェース手段を制御する表示制御手段
を備えたディジタル型保護制御装置において、
前記インタフェース手段により入力された特定の装置動作のデータ表示要求に応じて、前記データ保存手段により保存された電気量データの中から、当該特定の装置動作の基準となる装置動作時刻の前後に連続する瞬時値データを予め設定された選択範囲条件に基づいて選択するデータ選択手段を備え、
前記表示制御手段は、選択された連続する瞬時値データをグラフィック形式の連続データに変換して前記インタフェース手段にグラフィック表示させるように構成されている
ことを特徴とするディジタル型保護制御装置。
【請求項２】
前記表示制御手段は、選択された連続する瞬時値データをアナログ波形またはベクトル図形に変換して前記インタフェース手段にアナログ波形表示またはベクトル表示するように構成されている
ことを特徴とする請求項１に記載のディジタル型保護制御装置。
【請求項３】
前記データ保存手段は、系統保護演算の演算結果として得られる演算結果データを連続で保存するように構成され、
前記データ選択手段は、前記インタフェース手段により入力された特定の装置動作のデータ表示要求に応じて、前記データ保存手段により保存された演算結果データの中から、当該特定の装置動作時における連続する演算結果データを前記選択範囲条件に基づいて選択するように構成され、
前記表示制御手段は、選択された連続する演算結果データをグラフィック形式の連続データに変換して前記インタフェース手段にグラフィック表示させるように構成されている
ことを特徴とする請求項１または請求項２に記載のディジタル型保護制御装置。
【請求項４】
前記表示制御手段は、選択された連続する演算結果データをタイムチャート図形に変換して前記インタフェース手段にタイムチャート表示するように構成されている
ことを特徴とする請求項３に記載のディジタル型保護制御装置。
【請求項５】
前記選択範囲条件は、特定の装置動作時における連続する電気量データとして、この特定の装置動作の基準となるトリップ指令出力時刻の前後に連続する瞬時値データを、予め設定されたサイクル数で選択するという条件を含む
ことを特徴とする請求項１乃至請求項４のいずれか１項に記載のディジタル型保護制御装置。
【請求項６】
前記表示制御手段は、前記データ保存手段により表示可能な装置動作時のデータを前記インタフェース手段に見出し表示させるように構成され、
前記データ選択手段は、前記表示制御手段により前記インタフェース手段に表示される見出しが指定された場合に、この見出しにより示される特定の装置動作時の連続データを選択するように構成されている
ことを特徴とする請求項１乃至請求項５のいずれか１項に記載のディジタル型保護制御装置。
【請求項７】
電力系統からアナログ信号の電気量データを取込みディジタル変換するアナログ／ディジタル変換手段と、
ディジタル変換された電気量データを用いて系統保護演算を行う系統保護演算手段と、
系統保護演算の演算結果に応じて該当する外部機器に制御指令を与える外部出力指令を行う外部出力指令手段と、
外部出力指令を行う場合に現時点で取込んでいる電気量データの連続する瞬時値データを予め設定されたサンプリング周期で保存するデータ保存手段と、
表示要求に基づき運用保守を行うための情報を表示するインタフェース手段と、
前記インタフェース手段を制御する表示制御手段
を備えたディジタル型保護制御装置のデータ表示方法において、
前記ディジタル型保護制御装置は前記インタフェース手段に表示するデータを選択するデータ選択手段を備え、
前記データ選択手段により、前記インタフェース手段により入力された特定の装置動作のデータ表示要求に応じて、前記データ保存手段により保存された電気量データの中から、当該特定の装置動作の基準となる装置動作時刻の前後に連続する瞬時値データを予め設定された選択範囲条件に基づいて選択する処理を行い、
前記表示制御手段により、選択された連続する瞬時値データをグラフィック形式の連続データに変換して前記インタフェース手段にグラフィック表示させる処理を行う
ことを特徴とするディジタル型保護制御装置のデータ表示方法。
【請求項８】
電力系統からアナログ信号の電気量データを取込みディジタル変換するアナログ／ディジタル変換手段と、
ディジタル変換された電気量データを用いて系統保護演算を行う系統保護演算手段と、
系統保護演算の演算結果に応じて該当する外部機器に制御指令を与える外部出力指令を行う外部出力指令手段と、
外部出力指令を行う場合に現時点で取込んでいる電気量データの連続する瞬時値データを予め設定されたサンプリング周期で保存するデータ保存手段と、
表示要求に基づき運用保守を行うための情報を表示するインタフェース手段と、
前記インタフェース手段を制御する表示制御手段
を備えたディジタル型保護制御装置の前記表示制御手段をコンピュータに実現させるデータ表示プログラムにおいて、
前記コンピュータに、
前記インタフェース手段に表示するデータを選択するデータ選択手段を実現させ、
前記データ選択手段により、前記インタフェース手段により入力された特定の装置動作のデータ表示要求に応じて、前記データ保存手段により保存された電気量データの中から、当該特定の装置動作の基準となる装置動作時刻の前後に連続する瞬時値データを予め設定された選択範囲条件に基づいて選択する処理を行わせ、
前記表示制御手段により、選択された連続する瞬時値データをグラフィック形式の連続データに変換して前記インタフェース手段にグラフィック表示させる処理を行わせる
ことを特徴とするディジタル型保護制御装置のデータ表示プログラム。
【発明の詳細な説明】
【技術分野】
【０００１】
本発明は、電力系統を保護するディジタル型保護制御装置に関するものであり、特に、装置動作時のデータの表示方法を改良したディジタル型保護制御装置とそのデータ表示方法およびデータ表示プログラムに関するものである。
【背景技術】
【０００２】
電力系統を保護するディジタル型保護制御装置は、電力系統の電気量や状態量を入力してディジタル量に変換し、このディジタル量を用いて所定の保護制御演算を行い、この演算結果により電力系統事故を検出し、トリップ指令を出力して遮断器等を制御することにより、電力系統の保護制御を行うものである（非特許文献１参照）。
【０００３】
このディジタル型保護制御装置の運用保守を行うための情報を表示するヒューマンインタフェースとしては、タッチパネル（液晶など）等の実装型、あるいは、可搬型（主にノートサイズの汎用パーソナルコンピュータ）等、各種のインタフェースが使用されている。
【０００４】
従来より、ディジタル型保護制御装置においては、トリップ指令出力時に電力系統のアナログ入力情報や保護演算を行う単体リレーのＯＮ／ＯＦＦ情報等を保存し、ヒューマンインタフェースに表示させている（非特許文献２参照）。
【０００５】
図６は、従来の１点データ保存型のディジタル型保護制御装置の構成例を示すブロック図であり、このディジタル型保護制御装置１００Ａは、ヒューマンインタフェース（ＨＩ）１０１、アナログ／ディジタル変換手段（Ａ／Ｄ変換手段）１０２、リレー演算手段１０３、シーケンス処理手段１０４、１点データ保存手段１０５、表示制御手段１０６を備えており、システムバス１１０によって相互に接続されている。
【０００６】
このディジタル型保護制御装置１００Ａの動作は次の通りである。まず、Ａ／Ｄ変換手段１０２により、電力系統から、電流、電圧等のアナログ信号の電気量データを取込みディジタル変換する。次に、リレー演算手段１０３により、ディジタル変換された電気量データを用いて系統保護演算を行い、系統保護演算の演算結果に応じて、シーケンス処理手段１０４により、該当する遮断器等の外部機器に制御指令を与えるトリップ指令等の外部出力指令を行う。
【０００７】
シーケンス処理手段１０４により外部出力指令を行う場合には、１点データ保存手段１０５により、外部出力指令の所定時間（一般的に、１０ｍｓ〜数十ｍｓ）後の時刻の電気量データおよびそれを用いた系統保護演算の演算結果として得られる演算結果データを保存する。表示制御手段１０６によりＨＩ１０１を制御して、１点データ保存手段１０５に保存したデータをＨＩ１０１に表示させる。
【０００８】
図７と図８は、図６に示すような１点データ保存型の従来のディジタル型保護制御装置におけるトリップ指令出力時のＨＩ表示を示す図であり、図７は、トリップ指令出力時に保存した１点の系統電気量データの実効値と位相を表示する表示画面例、図８は、トリップ指令出力時の系統保護リレー動作の演算結果データを表示する表示画面例である。
【０００９】
これらの画面例は、いずれも、トリップ指令出力から所定時間後の１点のデータを表示したものであり、画面表示前後のアナログ波形の様相および単体リレー動作タイミングを観測することはできない。
【００１０】
すなわち、従来のトリップ指令出力時のＨＩ表示においては、電流、電圧などの実効値および位相をトリップ指令出力の例えば２０ｍｓ後の１点でしか表示できなかったため、実効値や位相の連続性を確認することは不可能であった。また、動作時間の速い遮断器を使用している場合には、画面表示内容が系統事故除去後の内容となってしまう場合も考えられる。したがって、トリップ指令出力から所定時間後の１点のデータのみを表示する方式では、事故現象を正確に把握することが困難である。
【００１１】
これに対して、装置動作の表示用データを保存するタイミングの調整を行うことで、系統事故時の状況を示す適切なデータを表示することも考えられるが、この場合には、トリップ検出の立上がり、立下り、トリップ検出のワンショットタイマの設定時間を１０ｍｓにするか２０ｍｓにするか、などの機器やトリップ構成（直接トリップ、間接トリップ）に関する調整が必要となる。このことは、装置動作時の連続データの表示操作性の向上における支障となる。
【００１２】
そのため、専用の解析ツールを使用してディジタル形保護制御装置に保存している連続する事故前後のデータを収集することで、系統事故現象を時系列的に解析することにより、事故現象を正確に把握可能とする手法が提案されている。このような専用の解析ツールを使用することで、電力系統の電圧および電流をアナログ波形表示およびベクトル表示可能なこと、および単体リレー動作をタイムチャートで参照可能となることは公知である（特許文献１、非特許文献３参照）。
【００１３】
図９は、専用の解析ツールを使用した従来のディジタル型保護制御装置の構成例を示すブロック図である。このディジタル型保護制御装置１００Ｂは、図６に示した構成に、アナライザ手段１２０を追加したものである。ここで、アナライザ手段１２０は、ＨＩに表示するデータを保存する１点データ保存手段１０５とは別に、電気量データやその系統保護演算の演算結果データの連続する瞬時値データを所定のサンプリング周期で保存する連続データ保存手段１２１を設けると共に、専用の解析ツール１２２を用いて事故現象毎にデータ収集を行い、連続するアナログ波形および単体リレー動作を表示する手段である。
【００１４】
図１０は、このディジタル型保護制御装置１００Ｂの系統事故発生時におけるデータ表示動作の概略を示すフローチャートである。この図１０に示すように、系統事故の発生時（Ｓ０１のＹＥＳ）には、自動的に、あるいは、ＨＩ１０１により入力される人間系からのデータ表示要求に応答して、表示制御手段１０６により、装置の動作内容を示す動作内容画面が表示される（Ｓ０２）。
【００１５】
ここで、動作内容画面は、基本的に個々の装置動作に関する情報として個々のトリップ指令出力時刻を含むが、具体的には、トリップ指令だけでなく、系統保護リレー動作や異常時などのトリガを含む複数種類のトリガ情報の一覧表示がＨＩ１０１に表示される。
【００１６】
このような動作内容画面の表示に対して、トリップ指令のトリガ時刻を確認した人間系からの解析ツール起動要求がＨＩ１０１により入力される（Ｓ０３のＹＥＳ）と、解析ツール１２２が接続・起動して、連続データ保存手段１２１に保存されている連続データの中からデータ表示可能な連続データの一覧表示がＨＩ１０１に表示される（Ｓ０４）。
【００１７】
連続データの一覧表示の中から、動作内容画面に示される特定の装置動作と同一時刻または近い時刻の連続データが人間系により指定される（Ｓ０５のＹＥＳ）と、解析ツール１２２により、指定された連続データが連続データ保存手段１２１から取得され、アナログ波形やベクトル表示、タイムチャート表示等のグラフィック形式の連続データに変換されてＨＩ１０１にグラフィック表示される（Ｓ０６）。
【００１８】
【特許文献１】特許第３１０２４８６号
【非特許文献１】社団法人電気協同研究会「電気協同研究」、第４１巻、第４号、第１章（１４〜２０頁）、１９８６年１月
【非特許文献２】社団法人電気協同研究会「電気協同研究」、第５０巻、第１号、第５章（１２３〜１３６頁）、１９９４年４月
【非特許文献３】社団法人電気協同研究会「電気協同研究」、第５０巻、第１号、第６章（１３６〜１４９頁）、１９９４年４月
【発明の開示】
【発明が解決しようとする課題】
【００１９】
しかしながら、上記のような専用の解析ツールを使用した従来のディジタル型保護制御装置には、次のような問題点があった。すなわち、専用の解析ツールを使用していることから、図１０に示すように、装置動作時の連続データをグラフィック表示するためには、人間系による複数の操作や作業が必要となるため、連続データの表示までに手間と時間が掛かり、装置動作前後の応動を迅速かつ容易に把握することができない。
【００２０】
すなわち、図９の従来装置では、装置動作時刻の一覧表示などの動作内容画面を表示した後、当該装置動作時刻に応じた連続データを表示するためには、人間系の起動指示により、専用の解析ツールを起動して保存している連続データの一覧表示を行い、その中から、動作内容画面の装置動作時刻と一致するかまたは近い時刻の連続データを人間系の指定により選択する必要がある。
【００２１】
この場合、人間系には、解析ツールの起動指示、データの比較・判定とその結果に応じた連続データ指定などの操作や作業が要求されるため、連続データの表示までに手間と時間が掛かる。特に、専用の解析ツールによって表示される動作内容画面においては、トリップ指令だけでなく、系統保護リレー動作や異常時などのトリガ情報を含む複数種類のトリガ情報が一覧表示される。このことは、特定の装置動作に関する連続データを表示しようとする場合に、トリップ指令だけでなく他のトリガ情報を示す大量の不要なデータが表示されることを意味しており、その分だけ、人間系によるデータの比較・判定に必要な手間と時間が増大・長時間化してしまうことになる。
【００２２】
したがって、図９の従来装置では、特定の装置動作に関する連続データの表示操作性が低くなってしまい、装置動作前後の応動を迅速かつ容易に把握することができない。このことは、ディジタル型保護制御装置の運用保守業務に携わる担当者の業務負担の増大につながる。
【００２３】
また、連続する瞬時値データを所定のサンプリング周期で保存していることから、装置動作時刻に近い時刻の連続データを指定した場合でも、表示される連続データは、装置動作時刻に関係なく自動的に決定された始点および終点で区切られた連続データである。そのため、連続データの始点および終点と装置動作時刻の関係によっては当該装置動作前後の応動を適切に表現できない場合があり、この場合には、表示された連続データから装置動作前後の応動を正確に把握することができなくなってしまう。
【００２４】
また、専用の解析ツールは、解析用として特化された専用のプログラムにより実現されるが、そのような専用の解析ツールは、全てのディジタル型保護制御装置に備えられているものではなく、機種によっては専用のハードウェアの実装が必要となる場合もある。専用の解析ツールやハードウェアの使用は、ディジタル型保護制御装置の構成を複雑化するため、保守性を低下させるという問題もある。
【００２５】
本発明は、上記のような従来技術の課題を解決するために提案されたものであり、その目的は、専用の解析ツールやハードウェアが不要で、装置動作時の連続データの表示操作性に優れ、装置動作前後の応動を迅速・容易かつ正確に把握可能な、保守性に優れたディジタル型保護制御装置とそのデータ表示方法およびデータ表示プログラムを提供することである。
【課題を解決するための手段】
【００２６】
本発明のディジタル型保護制御装置は、基本的に、アナログ／ディジタル変換手段、系統保護演算手段、外部出力指令手段、データ保存手段、インタフェース手段、表示制御手段を備えている。ここで、アナログ／ディジタル変換手段は、電力系統からアナログ信号の電気量データを取込みディジタル変換する手段である。系統保護演算手段は、ディジタル変換された電気量データを用いて系統保護演算を行う手段である。外部出力指令手段は、系統保護演算の演算結果に応じて該当する外部機器に制御指令を与える外部出力指令を行う手段である。データ保存手段は、外部出力指令を行う場合に現時点で取込んでいる電気量データの連続する瞬時値データを予め設定されたサンプリング周期で保存する手段である。インタフェース手段は、表示要求に基づき運用保守を行うための情報を表示する手段である。表示制御手段は、インタフェース手段を制御する手段である。
【００２７】
本発明のディジタル型保護制御装置は、以上のような基本的な構成を備えた装置において、次のような技術的特徴を有するものである。すなわち、本発明のディジタル型保護制御装置は、インタフェース手段により入力された特定の装置動作のデータ表示要求に応じて、前記データ保存手段により保存された電気量データの中から、当該特定の装置動作の基準となる装置動作時刻の前後に連続する瞬時値データを予め設定された選択範囲条件に基づいて選択するデータ選択手段を備える。そして、前記表示制御手段は、選択された連続する瞬時値データをグラフィック形式の連続データに変換して前記インタフェース手段にグラフィック表示させるように構成されている。
【００２８】
また、本発明のデータ表示方法およびデータ表示プログラムは、上記装置の特徴を方法およびコンピュータプログラムの観点からそれぞれ把握したものである。
【発明の効果】
【００２９】
本発明によれば、保存された電気量データの中から、特定の装置動作時刻の前後に連続する瞬時値データを予め設定された選択範囲条件に基づいて選択し、グラフィック形式の連続データに変換して表示させることにより、人間系でデータの比較・判定などの作業を行う必要なしに、特定の装置動作を指定するだけで、装置動作前後の応動を適切に表現する連続データを自動的に選択し、迅速かつ容易に表示可能である。また、専用の解析ツールやハードウェアが不要であるため、保守性に優れている。
【００３０】
したがって、専用の解析ツールやハードウェアが不要で、装置動作時の連続データの表示操作性に優れ、装置動作前後の応動を迅速・容易かつ正確に把握可能な、保守性に優れたディジタル型保護制御装置とそのデータ表示方法およびデータ表示プログラムを提供することができる。
【発明を実施するための最良の形態】
【００３１】
以下には、本発明に係るディジタル型保護制御装置の実施形態について、図１〜図５を参照して具体的に説明する。なお、図６〜図１０に示した従来技術と同一部分には同一符号を付している。
【００３２】
［構成］
図１は、本発明を適用した一つの実施形態に係るディジタル型保護制御装置の構成を示すブロック図である。この図１に示すディジタル型保護制御装置１００は、図９に示した従来装置の構成において、１点データ保存手段１０５と連続データ保存手段１２１の代わりに単一のデータ保存手段２０１を使用し、表示制御手段１０６の代わりに本発明に係る機能を有する表示制御手段２０２を使用すると共に、本発明に係るデータ選択手段２０３を追加することで、専用の解析ツール１２２を不要としたものである。
【００３３】
データ保存手段２０１は、外部出力指令を行う場合に現時点で取込んでいる電気量データの連続する瞬時値データを予め設定されたサンプリング周期で保存する手段であり、基本的な機能は、図９に示した従来装置の連続データ保存手段１２１と同等である。なお、図９に示した従来装置における連続データ保存手段１２１は、解析ツール１２２用として、ＨＩ表示用の１点データ保存手段１０５とは別に設けられていたが、専用の解析ツール１２２を使用せず、連続データをＨＩ表示用データとして表示する本実施形態では、２つのデータ保存手段を設ける必要がないため、単一のデータ保存手段２０１のみを設けている。
【００３４】
データ選択手段２０３は、ヒューマンインタフェース（ＨＩ）１０１により入力された人間系からの特定の装置動作のデータ表示要求に応じて、データ保存手段２０１により保存された電気量データの中から、当該特定の装置動作の基準となる装置動作時刻の前後に連続する瞬時値データを予め設定された選択範囲条件に基づいて選択する手段である。
【００３５】
表示制御手段２０２は、ヒューマンインタフェース（ＨＩ）１０１を制御する手段であるが、本実施形態においては、本発明に係る機能、すなわち、選択された連続する瞬時値データをグラフィック形式の連続データに変換してヒューマンインタフェース（ＨＩ）１０１にグラフィック表示させる機能を有する。
【００３６】
なお、上記以外のヒューマンインタフェース（ＨＩ）１０１、アナログ／ディジタル変換手段（Ａ／Ｄ変換手段）１０２、リレー演算手段（系統保護演算手段）１０３、シーケンス処理手段（外部出力指令手段）１０４等の構成については、図９に示した従来のディジタル型保護制御装置１００Ｂの構成と同様である。
【００３７】
［作用］
図２は、以上のような本実施形態のディジタル型保護制御装置１００の系統事故発生時におけるデータ表示動作の概略を示すフローチャートである。この図２に示すように、系統事故の発生時（Ｓ０１のＹＥＳ）に、表示制御手段２０２により、装置の動作内容を示す動作内容画面が表示される（Ｓ１１）。
【００３８】
この動作内容画面表示の処理（Ｓ１１）において、本実施形態の表示制御手段２０２は、動作内容画面として、トリップ指令のみのトリガ時刻を一覧表示する。この処理は、トリップ指令だけでなく系統保護リレー動作や異常時のトリガを含む複数種類のトリガ情報を示すトリガ時刻を一覧表示していた従来のディジタル型保護制御装置１００Ｂとは異なる処理である。
【００３９】
図３は、このようにトリップ指令のトリガ時刻を一覧表示する動作内容画面表示の一例を示す図であり、（Ａ）は、初期画面、（Ｂ）は、５件のトリガを検出した場合の画面である。この動作内容画面においては、トリップ指令のトリガ時刻および動作結果を示す簡略な文字列を「発生日時」および「動作結果」として見出し表示している。
【００４０】
この図３に示すような動作内容画面の見出し表示に対して、見出しとして表示されたトリップ指令のトリガ時刻と動作結果を確認した人間系により、表示しようとするトリガ時刻と動作結果の見出しが指定され、当該見出しに対応する特定の装置動作の指定・データ表示要求がＨＩ１０１により入力される（Ｓ１２のＹＥＳ）。この特定の装置動作の指定・データ表示要求に応答して、データ選択手段２０３と表示制御手段２０２により、その特定の装置動作前後の応動を表現する連続データが選択され、グラフィック表示される（Ｓ１３）。
【００４１】
この連続データの選択・グラフィック表示の処理（Ｓ１３）においては、まず、データ選択手段２０３により、データ保存手段２０１により保存された電気量データの中から、当該特定の装置動作の基準となるトリガ時刻（装置動作時刻）の前後に連続する瞬時値データが、予め設定された選択範囲条件に基づいて選択される。ここで、選択範囲条件は、例えば、特定の装置動作時における連続する電気量データとして、この特定の装置動作の基準となるトリップ指令出力時刻の前後に連続する瞬時値データを、予め設定されたサイクル数「ｎ」で選択するという条件を含む。なお、このような選択範囲条件を用いたデータ選択機能は極めて簡素な機能であるため、専用のツールを用いることなく、ＨＩ表示用のプログラムの一部として容易に実現可能である。
【００４２】
選択・グラフィック表示の処理（Ｓ１３）においては、次に、表示制御手段２０２により、選択された連続データが、グラフィック形式の連続データに変換され、ＨＩ１０１にグラフィック表示される。
【００４３】
この場合、データ保存手段２０１に保存された連続データのうち、電気量データなどの連続する瞬時値データについては、図４に示すように、アナログ波形またはベクトル図形に変換され、ＨＩ１０１にアナログ波形表示またはベクトル表示される。なお、図４は、電気量データの表示画面例として、トリップ指令のトリガ時刻の前後に数サイクルずつ連続する電圧瞬時値データのアナログ波形表示画面例を示す図である。
【００４４】
また、データ保存手段２０１には、電気量データだけでなく、電気量データを用いてリレー演算手段１０３により演算された各種の演算結果データも保存されており、このような演算結果データは、図５に示すように、タイムチャート図形に変換され、ＨＩ１０１にタイムチャート表示される。なお、図５は、演算結果データの表示画面例として、トリップ指令のトリガ時刻の前後に連続する系統保護リレー動作の演算結果データのタイムチャート表示画面例を示す図である。
【００４５】
なお、図４、図５に示すようなグラフィック形式の連続データへの変換は、表示制御手段２０２に、データ値をＸＹ座標上にプロットする機能を持たせることで実現される。このようなプロット機能は、データ表示を行うための多くのプログラムに組み込まれた基本的なデータ変換機能であるため、専用のツールを用いることなく、ＨＩ表示用のプログラムの一部として容易に実現可能である。
【００４６】
［効果］
以上のような本実施形態によれば、次のような効果が得られる。
【００４７】
まず、動作内容画面上で特定の装置動作の指定・データ表示要求がなされると、これに応答して、ディジタル型保護制御装置は、データ保存手段に保存された電気量データの中から、特定の装置動作時刻の前後に連続する瞬時値データを予め設定された選択範囲条件に基づいて選択し、グラフィック形式の連続データに変換してＨＩにグラフィック表示させる。そのため、本実施形態によれば、図９に示した従来装置のように人間系でデータの比較・判定などの作業を行う必要なしに、人間系で特定の装置動作を指定するだけで、装置動作前後の応動を適切に表現する連続データを自動的に選択し、迅速かつ容易に表示可能である。
【００４８】
その結果、特定の装置動作に関する連続データの表示操作性を向上でき、装置動作前後の応動を迅速かつ容易に把握可能であるため、ディジタル型保護制御装置の運用保守業務に携わる担当者の業務負担を軽減できる。
【００４９】
特に、本実施形態においては、動作内容画面において、トリップ指令のみのトリガ時刻を見出しとして一覧表示しているため、系統保護リレー動作や異常時などのトリガ情報を含む複数種類のトリガ情報を一覧表示した場合に比べて、特定の装置動作を指定するための確認作業が極めて容易である。すなわち、特定の装置動作を指定するための確認用の情報として、必要最小限の情報のみを表示しているため、特定の装置動作を指定するための確認作業を極めて効率よく行うことができる。その結果、特定の装置動作に関する連続データの表示操作性をさらに向上できるため、ディジタル型保護制御装置の運用保守業務に携わる担当者の業務負担をさらに軽減できる。
【００５０】
また、本発明に係る表示制御手段やデータ選択手段は、前述したようなデータ変換機能やデータ選択機能をＨＩ表示用のコンピュータを制御するプログラムの一部に組み込むことにより容易に実現可能であり、従来装置のような専用の解析ツールやハードウェアが不要である分だけ、保守性に優れている。
【００５１】
したがって、本実施形態によれば、専用の解析ツールやハードウェアが不要で、装置動作時の連続データの表示操作性に優れ、装置動作前後の応動を迅速・容易かつ正確に把握可能な、保守性に優れたディジタル型保護制御装置とそのデータ表示方法およびデータ表示プログラムを提供することができる。
【００５２】
［他の実施形態］
なお、本発明は、前述した実施形態に限定されるものではなく、本発明の範囲内で他にも多種多様な変形例が実施可能である。すなわち、図面に示した装置構成は機能構成の一例にすぎず、具体的なハードウェア構成およびソフトウェア構成は適宜選択可能である。例えば、ＨＩの種別としては、タッチパネル（液晶など）等の実装型、あるいは、可搬型（主にノートサイズの汎用パーソナルコンピュータ）等、各種のインタフェースが使用可能である。
【図面の簡単な説明】
【００５３】
【図１】本発明を適用した一つの実施形態に係るディジタル型保護制御装置の構成を示すブロック図。
【図２】図１のディジタル型保護制御装置の系統事故発生時におけるデータ表示動作の概略を示すフローチャート。
【図３】図１のディジタル型保護制御装置により表示される動作内容画面表示の一例を示す図であり、（Ａ）は初期画面、（Ｂ）は５件のトリガ検出時の画面。
【図４】図１のディジタル型保護制御装置により表示される連続する電圧瞬時値データの表示画面例を示す図。
【図５】図１のディジタル型保護制御装置により表示される系統保護リレー動作の演算結果データの表示画面例を示す図。
【図６】従来の１点データ保存型のディジタル型保護制御装置の構成例を示すブロック図。
【図７】図６のディジタル型保護制御装置により表示される１点の電気量データの表示画面例を示す図。
【図８】図６のディジタル型保護制御装置により表示される系統保護リレー動作の演算結果データの表示画面例を示す図。
【図９】専用の解析ツールを使用した従来のディジタル型保護制御装置の構成例を示すブロック図。
【図１０】図９のディジタル型保護制御装置の系統事故発生時におけるデータ表示動作の概略を示すフローチャート。
【符号の説明】
【００５４】
１００，１００Ａ，１００Ｂ…ディジタル型保護制御装置
１０１…ヒューマンインタフェース（ＨＩ）
１０２…アナログ／ディジタル変換手段（Ａ／Ｄ変換手段）
１０３…リレー演算手段
１０４…シーケンス処理手段
１０５…１点データ保存手段
１０６…表示制御手段
１１０…システムバス
１２０…アナライザ手段
１２１…連続データ保存手段
１２２…解析ツール
２０１…データ保存手段
２０２…表示制御手段
２０３…データ選択手段
【図１】
2008099442.tif 000003
【図２】
2008099442.tif 000004
【図３】
2008099442.tif 000005
【図４】
2008099442.tif 000006
【図５】
2008099442.tif 000007
【図６】
2008099442.tif 000008
【図７】
2008099442.tif 000009
【図８】
2008099442.tif 000010
【図９】
2008099442.tif 000011
【図１０】
2008099442.tif 000012